(57)【要約】 【課題】  本発明は、布や紙などに白色の文字や画線を記すことができ、記載した文字や画線が経時とともに自然に消えることがないが、必要時に水により容易に消去可能な白色系インク組成物を提供することを課題とする。【解決手段】  水と、水１００重量部あたり少なくとも５重量部の割合で溶解された安息香酸ナトリウムとからなる、白色系インク組成物。【選択図】      なし【特許請求の範囲】
【請求項１】
水と、水１００重量部あたり少なくとも５重量部の割合で溶解された安息香酸ナトリウムとからなる、白色系インク組成物。
【請求項２】
水溶性高分子を更に含有する、請求項１に記載の白色系インク組成物。
【請求項３】
水溶性高分子がポリアルキレンオキシド、ポリビニルアルコール、ポリアクリル酸ナトリウム、メチルセルロース、カルボキシメチルセルロースの中から選ばれる少なくとも１種である、請求項１または２に記載の白色系インク組成物。
【請求項４】
水溶性高分子が水１００重量部あたり０．００１〜１８重量部溶解されている請求項１〜３のいずれかに記載の白色系インク組成物。
【請求項５】
エタノールを更に含有する、請求項１〜４のいずれかに記載の白色系インク組成物。
【請求項６】
請求項１〜５のいずれかに記載の白色系インク組成物を含有するインク貯蔵部を備えた筆記具。
【発明の詳細な説明】
【技術分野】
【０００１】
本発明は、布や紙などの表面に白色の文字、画線などのパターンを記すことができ、かつ、該白色パターンが水により容易に消去し得る白色系インク組成物に関するものである。
【背景技術】
【０００２】
従来、記載した文字や画線が消色性を示すインク組成物については、各種のものが知られている（例えば特許文献１、特許文献２および特許文献３参照）。しかし、これらの消色性インク組成物はいずれも発色した染料を用いるもので白色の文字や画線を与えるものではない。従って、これらのインク組成物は、黒色ないし暗色の表面に記載する用途に対しては不適当である。
【０００３】
一方、黒色や暗色の表面に記載するのに適したインク組成物としては、白色系顔料を溶媒に分散させたものが知られているが、しかし、このようなインク組成物は、記載した文字や画線を容易に消去することはできない。
消去可能な白色系インク組成物としては、サルチル酸またはアセチルサルチル酸を少なくとも１０重量％の割合で有機溶媒に溶解させた溶液からなるものが知られている（特許文献４参照）。ところが、サルチル酸およびアセチルサルチル酸は昇華性を有するため、記載した文字や画線は経時とともに自然に消えてしまう。そのため、この消去可能な白色系インク組成物は、長期にわたる作業において、必要時までに白色パターンが維持できないという不都合があった。
【０００４】
【特許文献１】特開昭５０−７７１２６号公報
【特許文献２】特開昭５７−１６０７７号公報
【特許文献３】特開昭５５−２７３１３号公報
【特許文献４】特公平６−５５９１８号公報
【発明の開示】
【発明が解決しようとする課題】
【０００５】
本発明は、布や紙などに白色の文字や画線を記すことができ、記載した文字や画線が経時とともに自然に消えることがないが、必要時に水により容易に消去可能な白色系インク組成物を提供することをその課題とする。
【課題を解決するための手段】
【０００６】
本発明者は、前記課題を解決すべく鋭意研究を重ねた結果、水に安息香酸ナトリウムを５重量％以上の割合で溶解させた溶液をインク組成物として用いて布や紙などの固体表面に文字や画線を記載すると、その記載直後の文字や画線は実質上無色透明のものであるが、経時により溶媒が蒸散すると、溶液に溶解していた安息香酸ナトリウムが固体物質として析出または晶析し、その固体表面には安息香酸ナトリウムによる白色の文字や画線が鮮明に出現すること、更に、記載した白色の文字や画線は経時とともに自然に消えることはないが、必要時に水により容易に消去可能を見出し、本発明を完成するに至った。
本発明によれば、水と、該水１００重量部に対し少なくとも５重量部の割合で溶解された安息香酸ナトリウムとからなる、白色系インク組成物が提供される。
前記の白色系インク組成物は、水溶性高分子および／又は揮発性の水溶性有機溶媒を更に含有することができる。
本発明は、また、前記のいずれかの白色系インク組成物を含有するインク貯蔵部を備えた筆記具を提供するものである。
【発明の効果】
【０００７】
本発明のインク組成物を用いることにより、特に黒色ないし暗色の固体表面上に白色系の文字や画線を鮮明に記載することができる。そして、この文字や画線は経時により消色することはなく、必要時に水により、例えば、水を含んだ布やスポンジで拭うことにより容易に消去することができる。また、安息香酸ナトリウムは吸湿性があるため、インクの乾燥防止効果があり、ペンとして使用する場合ペンの保存性が高い。インクの画線が形成される固体表面としては、布地、紙、不織布、皮革、金属、プラスチック等の各種のものが挙げられる。もちろん、本発明のインク組成物を用いることにより、黒色、暗色以外の固体表面にも白色の文字や画線を記載することができる。
【発明を実施するための最良の形態】
【０００８】
以下、本発明の白色系インク組成物の好ましい態様を詳細に説明する。
本発明のインク組成物は、安息香酸ナトリウムを水に溶解させた溶液からなるものであるが、鮮明な文字や画線を得るためには、安息香酸ナトリウムの使用量は、水１００重量部あたり少なくとも５重量部であることが必要であり、好ましくは少なくとも１５重量部であり、更に好ましくは少なくとも３０重量部である。その上限は安息香酸ナトリウムの水に対する溶解度である。安息香酸ナトリウムの使用量が５重量部より少ないと、筆記後に布などの固体表面に現出した文字や画線の色が薄くて判読困難になる。高濃度とする方が筆記後の発色が速やかになるため好ましいが、安息香酸ナトリウムを飽和溶液として用いた場合、少量の水の蒸散や、温度低下により安息香酸ナトリウムが析出する恐れがあり、インクの保存性が悪くなるので、安息香酸ナトリウムの使用量は、その飽和濃度の９５％以下にするのが好ましい。
【０００９】
布などの固体表面に記載した時点から白色の文字や画線が出現するまでの時間は、インク中の安息香酸ナトリウム濃度、環境等によって変化するが、文字や画線の出現時間を早くする目的で、水溶性の有機溶媒、例えば、アルコール類、ケトン類をインク組成物中に含有させることができる。この場合、安全性、揮発性の点で、エタノールの使用が望ましい。水溶性の有機溶媒の使用量は一般には、水１００重量部あたり１〜１００重量部、好ましくは５〜８０重量部である。
【００１０】
また、本発明の白色インク組成物は、補助成分として、水溶性高分子物質を添加することができる。このような高分子物質としては、例えば、ポリエチレンオキシドなどのポリアルキレンオキシド、ポリビニルアルコール、ポリアクリル酸ナトリウム、メチルセルロース、カルボキシメチルセルロースが挙げられる。このような高分子物質は、溶液に粘性を与え、インク組成物を用いて布地や不織布のような液を吸収しやすい固体表面に記載した時に、溶液の内部への吸収を抑制し、溶液を固体表面に付着滞留させる作用を示す。また、インクの貯蔵安定性を高める作用も示す。水溶性高分子物質の使用量は、その分子量により異なるが、一般には、水１００重量部あたり０．００１〜１８重量部、好ましくは０．０１〜１２重量部である。
【００１１】
本発明の白色インク組成物には、更に、白色発色性を高める目的で、水に対する溶解度の高い白色系の無機化合物を含有させることができる。このような無機化合物の使用量は、一般には、水１００重量部あたり０．１〜２５重量部、好ましくは０．５〜１８重量部である。無機化合物の例としては硝酸カリウム、硝酸ナトリウムなどが挙げられる。硝酸ナトリウムは吸湿性が高いため、インク乾燥防止効果もある。
【産業上の利用可能性】
【００１２】
本発明のインク組成物は、主に、サインペンやマジックペン、万年筆等のインク貯蔵部を有する筆記具用インクとして好適のもので、特に洋裁、和裁、手芸等におけるチャコペンとして有用である。もちろん、溶液の粘度を調節することにより、印刷インクとしての使用も可能である。なお、安息香酸ナトリウムは食品添加剤として広く用いられており、その人体に対する安全性は比較的高く、本発明のインク組成物の安全性が確保されている。
【実施例】
【００１３】
次に、本発明を実施例によりさらに詳細に説明する。「部」は重量部である。
【００１４】
［実施例１］
水１００部に安息香酸ナトリウム５５部を溶解し、これにポリエチレンオキシド（分子量６００，０００〜１，１００，０００（以下同じ））０．５部を加え完全に溶解させた。この溶液をサインペンの中綿（インクタンク）に含浸させて、ペンを作ると、この溶液は中綿の先端に挿入してあるペン芯から浸出してくる。このペンを用いて黒色の布地に画線を描くと、溶媒の蒸散に伴ない、布地上に白色の画線が画き出された。次に、この白色の画線を水を含んだ布で拭くと画線は消去した。また、同様にして黒色の布地に白色の画線を描いたものを１５日間室温で放置したが、白色の画線は消えることはなかった。
【００１５】
［実施例２］
水１００部とエタノール５０部からなる混合溶媒に安息香酸ナトリウム５９部を溶解し、これにポリエチレンオキシド１部を加え完全に溶解させた。この溶液をサインペンの中綿（インクタンク）に含浸させて、ペンを作ると、この溶液は中綿の先端に挿入してあるペン芯から浸出してくる。このペンを用いて黒色の布地に画線を描くと、溶媒の蒸散に伴ない、布地上に白色の画線が画き出された。エタノールの使用により溶媒の蒸散が促進された。次に、この白色の画線を水を含んだ布で拭くと画線は消去した。また、同様にして黒色の布地に白色の画線を描いたものを１５日間室温で放置したが、白色の画線は消えることはなかった。
【００１６】
［実施例３］
下記の組成からなる白色インクを製造した。
水：                        １００部
エタノール：                  ５０部
安息香酸ナトリウム：          ４０部
ポリエチレンオキシド：      １．２部
この白色インクを用いて、実施例１と同様にペンを作り、このペンを用いて黒色の布地に画線を描くと、溶媒の蒸散に伴ない、布地上に白色の画線が画き出された。この画線は水を含んだ布で消去することができ、１５日間の室温での放置でも白色の画線は消えることはなかった。エタノールの使用により、溶媒の蒸散が促進された。
【００１７】
［実施例４］
下記の組成からなる白色インクを製造した。
水：                        １００部
エタノール：                  ３０部
安息香酸ナトリウム：          ５５部
ポリエチレンオキシド：      ０．５部
この白色インクを用いて、実施例１と同様にペンを作り、このペンを用いて黒色の布地に画線を描くと、溶媒の蒸散に伴ない、布地上に白色の画線が画き出された。この画線は水を含んだ布で消去することができ、１５日間の室温での放置でも白色の画線は消えることはなかった。エタノールの使用により、溶媒の蒸散が促進された。
【００１８】
［実施例５］
下記の組成からなる白色インクを製造した。
水：                        １００部
エタノール：                  ５０部
安息香酸ナトリウム：          ４０部
硝酸ナトリウム                  ５部
ポリエチレンオキシド：          １部
この白色インクを用いて、実施例１と同様にペンを作り、このペンを用いて黒色の布地に画線を描くと、溶媒の蒸散に伴ない、布地上に白色の画線が画き出された。この画線は水を含んだ布で消去することができ、１５日間の室温での放置でも白色の画線は消えることはなかった。エタノールの使用により、溶媒の蒸散が促進された。
【００１９】
［実施例６］
下記の組成からなる白色インクを製造した。
水：                        １００部
エタノール：                  ５０部
安息香酸ナトリウム：          ４５部
カルボキシメチルセルロース：０．５部
ポリエチレンオキシド：          １部
この白色インクを用いて、実施例１と同様にペンを作り、このペンを用いて黒色の布地に画線を描くと、溶媒の蒸散に伴ない、布地上に白色の画線が画き出された。この画線は水を含んだ布で消去することができ、１５日間の室温での放置でも白色の画線は消えることはなかった。エタノールの使用により、溶媒の蒸散が促進された。
【００２０】
［実施例７］
下記の組成からなる白色インクを製造した。
水：                        １００部
エタノール：                  ５０部
安息香酸ナトリウム：         ３０部
カルボキシメチルセルロース：    １部
ポリエチレンオキシド：          １部
この白色インクを用いて、実施例１と同様にペンを作り、このペンを用いて黒色の布地に画線を描くと、溶媒の蒸散に伴ない、布地上に白色の画線が画き出された。この画線は水を含んだ布で消去することができ、１５日間の室温での放置でも白色の画線は消えることはなかった。エタノールの使用により、溶媒の蒸散が促進された。
【００２１】
［実施例８］
下記の組成からなる白色インクを製造した。
水：                        １００部
安息香酸ナトリウム：         ５５部
ポリエチレンオキシド：          １部
この白色インクを用いて、実施例１と同様にペンを作り、このペンを用いて黒色の布地に画線を描くと、溶媒の蒸散に伴ない、布地上に白色の画線が画き出された。この画線は水を含んだ布で消去することができ、１５日間の室温での放置でも白色の画線は消えることはなかった。